(57)【要約】【課題】画面を移動させるまでもなく、表示部に表示されていない画像が存在するか否かを容易に把握することができる画像表示システムを提供する。【解決手段】医療用データに基づく簡易画像Ｍがマトリクス状に配置された一覧Ｘを作成する一覧作成部と、前記一覧Ｘが部分的に表示される表示画面３１ａであって、表示画面３１ａに表示されていない簡易画像Ｍの存否を示し、なおかつ前記一覧Ｘの表示部分の上側、下側、右側及び左側の少なくともいずれかにおける前記簡易画像Ｍの存否を示すインジケータＩｎが表示される表示画面３１ａと、を備えることを特徴とする。インジケータＩｎは、前記表示画面３１ａに表示されていない簡易画像の数ｎを含む。【選択図】図２
2014137603.tif 000002
【特許請求の範囲】
【請求項１】
医療用データに基づく画像がマトリクス状に配置された一覧が部分的に表示される表示部であって、前記一覧を構成する画像のうち、前記表示部に表示されていない画像の存否を示し、なおかつ前記一覧の表示部分の上側、下側、右側及び左側の少なくともいずれかにおける前記画像の存否を示すインジケータが表示される表示部を備えることを特徴とする表示装置。
【請求項２】
前記インジケータは、前記一覧の表示部分の上側、下側、右側及び左側の少なくともいずれかにおいて前記表示部に表示されていない画像の数を含むことを特徴とする請求項１に記載の表示装置。
【請求項３】
前記一覧は、複数の属性の付随情報をメタデータとして有する医療用データに基づく画像の一覧であって、同一患者の前記画像が、行方向において一の属性の付随情報毎に配置されるとともに、列方向において他の属性の付随情報毎に配置されてなる
ことを特徴とする請求項１又は２に記載の表示装置。
【請求項４】
前記インジケータは、前記一覧の表示部分における行毎及び／又は列毎に表示されることを特徴とする請求項１〜３のいずれか一項に記載の表示装置。
【請求項５】
前記インジケータは、前記一覧における各行及び／又は各列において前記表示部に表示されていない画像の数を示す数値を含むことを特徴とする請求項４に記載の表示装置。
【請求項６】
前記一覧の列方向及び／又は行方向における画像を計数して、前記インジケータに含まれる前記数値を表示するための前記数値データを得る計数部を備えることを特徴とする請求項５に記載の表示装置。
【請求項７】
前記計数部は、前記一覧において前記画像が配置される升目毎に前記数値データを得ることを特徴とする請求項６に記載の表示装置。
【請求項８】
前記計数部は、前記一覧における各行の各升目について、それぞれの升目よりも左に存在する画像の計数及びそれぞれの升目よりも右に存在する画像の計数の少なくとも一方を行なって、前記各升目の行方向における前記数値データを得ることを特徴とする請求項７に記載の表示装置。
【請求項９】
前記計数部は、前記一覧における各列の各升目について、それぞれの升目よりも上に存在する画像の計数及びそれぞれの升目よりも下に存在する画像の計数の少なくとも一方を行なって、前記各升目の列方向における前記数値データを得ることを特徴とする請求項７又は８に記載の表示装置。
【請求項１０】
前記一覧は、前記付随情報の表示欄と、画像の表示欄とを含み、
前記インジケータは、前記画像の表示欄における各行及び／又は各列の端に表示される
ことを特徴とする請求項３に記載の表示装置。
【請求項１１】
操作者が入力操作を行なう入力部と、
該入力部において、前記インジケータを指示する入力操作が行われると、前記表示部に表示されていない画像を一覧内に表示させる表示制御部と、
を備えることを特徴とする請求項１〜１０のいずれか一項に記載の表示装置。
【請求項１２】
操作者が入力操作を行なう入力部を備えており、
前記表示制御部は、前記入力部における入力操作に応じた方向に前記一覧の表示部分を移動させる請求項１〜１１のいずれか一項に記載の表示装置。
【請求項１３】
請求項１〜１２のいずれか一項に記載の表示装置と接続されたサーバを有する画像表示システムであって、前記サーバは、前記医療用データを記憶する記憶部を備えることを特徴とする画像表示システム。
【請求項１４】
前記サーバは、前記一覧の列方向及び／又は行方向における画像を計数して、前記一覧における各行及び／又は各列において前記表示部に表示されていない画像の数を示す数値を、前記インジケータの一部として表示するための前記数値データを得る計数部を備えることを特徴とする請求項１３に記載の画像表示システム。
【請求項１５】
前記計数部は、前記画像が配置される升目毎に前記数値データを得ることを特徴とする請求項１４に記載の表示システム。
【請求項１６】
前記計数部は、前記一覧における各行の各升目について、それぞれの升目よりも左に存在する画像の計数及びそれぞれの升目よりも右に存在する画像の計数の少なくとも一方を行なって、前記各升目の行方向における前記数値データを得ることを特徴とする請求項１５に記載の表示システム。
【請求項１７】
前記計数部は、前記一覧における各列の各升目について、それぞれの升目よりも上に存在する画像の計数及びそれぞれの升目よりも下に存在する画像の計数の少なくとも一方を行なって、前記各升目の列方向における前記数値データを得ることを特徴とする請求項１５又は１６に記載の表示システム。
【請求項１８】
コンピュータに、
医療用データに基づく画像がマトリクス状に配置された一覧を作成する一覧作成機能と、
該一覧作成機能によって作成された前記一覧を構成する画像のうち、前記一覧が表示される表示部に表示されていない画像の存否を示し、なおかつ前記一覧の表示部分の上側、下側、右側及び左側の少なくともいずれかにおける前記画像の存否を示すインジケータを前記表示部に表示させる表示制御機能と、
を実行させることを特徴とする画像表示システムの制御プログラム。
【発明の詳細な説明】
【技術分野】
【０００１】
本発明は、患者の医療用データに基づく画像の一覧が表示される表示装置、画像表示システム及び画像表示システムの制御プログラムに関する。
【背景技術】
【０００２】
サーバ（ｓｅｒｖｅｒ）とネットワーク（Ｎｅｔｗｏｒｋ）を介して接続され、このサーバに記憶された医療用データに基づく画像を表示する表示装置が、例えば特許文献１に記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャン（ｓｃａｎ）されてデータ化されたものなども含まれる。
【先行技術文献】
【特許文献】
【０００４】
【特許文献１】特開２０１０−１８２０１８号公報
【発明の概要】
【発明が解決しようとする課題】
【０００５】
ところで、病院を訪れる患者について、非常に多くの医用画像や文書が作成されそのデータが保存されている場合がある。操作者は、診断などを行なう場合、その中から、目的に応じて関連のある医用画像や文書を見つけ出すことが必要である。そこで、本願発明者は、必要な医用画像や文書を効率的に見つけることができるように、医用画像や文書をマトリクス状に配置した一覧を表示する表示装置を提案している。この一覧では、例えば行方向（横方向）において、同じ日付の医用画像や文書のサムネイル（ｔｈｕｍｂｎａｉｌ）が配置され、列方向（縦方向）において同じ文書種のサムネイルが配置される。
【０００６】
ところで、医用画像や文書の数が多いと、一画面にすべてのサムネイルを表示しきれない場合がある。この場合、操作者が画面を移動させて必要なサムネイルを確認することになる。
【０００７】
従って、操作者は、画面に表示されていない領域にサムネイルが存在しているか否かを確認するために画面を移動させる必要があり、煩雑であった。
【課題を解決するための手段】
【０００８】
上述の課題を解決するためになされた一の観点の発明は、医療用データに基づく画像がマトリクス状に配置された一覧が部分的に表示される表示部であって、前記一覧を構成する画像のうち、前記表示部に表示されていない画像の存否を示し、なおかつ前記一覧の表示部分の上側、下側、右側及び左側の少なくともいずれかにおける前記画像の存否を示すインジケータが表示される表示部を備えることを特徴とする表示装置及び画像表示システムである。
【発明の効果】
【０００９】
上記観点の発明によれば、前記表示部に表示されていない画像の存否を示し、なおかつ前記一覧の表示部分の上側、下側、右側及び左側の少なくともいずれかにおける前記画像の存否を示すインジケータが表示されるので、画面を移動させるまでもなく、前記表示部に表示されていない画像が存在するか否かを容易に把握することができる。
【図面の簡単な説明】
【００１０】
【図１】実施形態に係る画像表示システムのブロック図である。
【図２】一覧が表示された表示部の表示画面を示す図である。
【図３】画像表示システムの動作を示すフローチャートである。
【図４】計数部による簡易画像の計数を説明する図である。
【図５】ドラッグ操作を説明する図である。
【図６】一覧が表示された表示部の表示画面を示す図であって、図２及び図５に示す状態から一覧の表示部分が下方に移動した状態を示す図である。
【図７】一覧が表示された表示部の表示画面を示す図であって、図６に示す状態から一覧の表示部分が下方向にさらに移動した状態を示す図である。
【図８】一覧が表示された表示部の表示画面を示す図である。
【図９】一覧が表示された表示部の表示画面を示す図であって、図８に示す状態から一覧の表示部分が右方向に移動した状態を示す図である。
【図１０】一覧が表示された表示部の表示画面を示す図であって、図９に示す状態から一覧の表示部分が右方向にさらに移動した状態を示す図である。
【図１１】数値の表示手法を説明する図である。
【図１２】図１１に示す状態から表示領域が下へ移動した状態を示す図である。
【図１３】図１１に示す状態から表示領域が右へ移動した状態を示す図である。
【図１４】第一変形例において、図１１に示す状態から表示領域が下へ移動した状態を示す図である。
【図１５】第一変形例において、図１１に示す状態から表示領域が右へ移動した状態を示す図である。
【図１６】第二変形例において、インジケータがクリックされた時の表示部の表示画面を示す図である。
【図１７】インジケータがクリックされた時の表示領域の移動を説明する図である。
【図１８】インジケータがクリックされた時の表示領域の移動を説明する図であり、図１７に示す状態から表示領域が移動した状態を示す図である。
【図１９】インジケータがクリックされた時の表示領域の移動を説明する図であり、図１７に示す状態から表示領域が移動した状態を示す図である。
【図２０】第三変形例において、一覧が表示された表示部の表示画面を示す図である。
【図２１】第三変形例において、数値の表示手法を説明する図である。
【図２２】第三変形例において、数値の表示手法を説明する図である。
【図２３】第三変形例において、数値の表示手法を説明する図である。
【図２４】第四変形例におけるインジケータが表示された表示画面を示す図である。
【図２５】インジケータの他例が表示された表示画面を示す図である。
【図２６】実施形態に係る画像表示システムの他例を示すブロック図である。
【発明を実施するための形態】
【００１１】
以下、本発明の実施形態について図面に基づいて詳細に説明する。図１に示す画像表示システム１は、ネットワークＮを介して接続されたサーバ２と表示端末３とを備えている。前記サーバ２には、ネットワークＮを介して部門システム４が複数接続されている。前記画像表示システム１は、本発明に係る画像表示システムの実施の形態の一例である。また、前記表示端末３は、本発明に係る表示装置の実施の形態の一例である。
【００１２】
前記サーバ２は、記憶部２１、一覧作成部２２、計数部２３及びデータ出力部２４を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。前記サーバ２は、本発明におけるサーバの実施の形態の一例であり、前記記憶部２１は、本発明における記憶部の実施の形態の一例である。
【００１３】
前記記憶部２１に記憶されている医療用データは、医療提供施設や検体検査を行なう検査施設などにおいて作成される患者に関係するデータであり、医用画像データ、文書データ、数値データなどである。医用画像データは、前記部門システム４のモダリティ等で取得されたデータであり、例えばＸ線ＣＴ画像、ＭＲＩ画像、超音波画像などの画像データである。文書データは、例えば読影レポート、診療情報提供書、手術同意書や検査同意書などの同意書、問診票、申込書、検査結果などのデータである。文書データには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。また、数値データは、患者に関する数値のデータであり、例えば血液検査などの検査結果を示す数値のデータである。
【００１４】
前記医療用データには、上述において列記された前記医用画像データ、前記文書データ及び前記数値データの他、心電図などの患者の生体情報の経過記録、その他患者に関係する記録のデータなども含まれる。
【００１５】
前記医療用データは、データ本体の他にメタデータ（ｍｅｔａｄａｔａ）を含んでいる。メタデータは、例えば患者の氏名、日付、文書種、文書分類、依頼科など、複数の属性の付随情報からなる。ここで、「付随情報」という語は、具体的な氏名、日付、文書種、文書分類、依頼科を意味し、属性は、これら付随情報の属性を意味する。例えば、「文書種」という属性の付随情報は、「ＣＴ」、「ＭＲＩ」などであり、「依頼科」という属性の付随情報は、「放射線科」、「循環器科」などである。メタデータは、属性の情報（例えば、「文書種」という情報）と、その属性の具体的な情報（すなわち付随情報、例えば「ＣＴ」という情報）とを含む概念である。
【００１６】
前記メタデータには、例えばＸ線ＣＴ装置等のモダリティ（ｍｏｄａｌｉｔｙ）など、前記部門システム４において自動的に付与されるものと、操作者が入力することにより付与されるものとが含まれる。
【００１７】
メタデータにおける日付は、例えば医療用データの作成日である。メタデータにおける日付には、日のみならず、年や時刻などが含まれていてもよい。医用画像データであれば、撮影日を作成日としてもよい。また、文書データであれば、文書を作成した日が作成日であってもよいし、文書をスキャンしてデータ化した日が作成日であってもよい。
【００１８】
また、前記メタデータにおける文書種は、医療用データの種類を示す情報であり、例えばＭＲＩ（Ｍａｇｎｅｔｉｃ  Ｒｅｓｏｎａｎｃｅ  Ｉｍａｇｉｎｇ）、ＵＳ（Ｕｌｔｒａｓｏｕｎｄ）などの医用画像の種類や、入院同意書、入院申込書、入院問診票、検査同意書、手術同意書などの文書の種類を示す情報である。また、前記メタデータにおける文書分類は、例えば同意書など、文書種の上位の概念を示す情報である。
【００１９】
また、前記メタデータにおける依頼科は、例えば放射線科、循環器科など、医療用データの作成を依頼した科を示す情報である。
【００２０】
前記メタデータにおける属性は、予め決められていてもよい。また、予め決められている場合でも、属性の追加や削除を行なうことができるようになっていてもよい。
【００２１】
前記一覧作成部２２は、前記記憶部２１に記憶された医療用データに基づく同一患者の簡易画像Ｍの一覧Ｘのデータを作成する（一覧作成機能）。前記一覧Ｘは、後述するように前記表示端末３に表示される（図２参照）。前記一覧作成部２２は、本発明における一覧作成部の実施の形態の一例である。また、一覧作成機能は、本発明における一覧作成機能の実施の形態の一例である。
【００２２】
前記計数部２３は、前記一覧Ｘの行方向及び列方向において簡易画像Ｍを計数して、前記表示端末３に表示されていない簡易画像Ｍの数を示す数値ｎを表示させるための数値データを得る。詳細は後述する。前記計数部２３は、本発明における計数部の実施の形態の一例である。
【００２３】
前記データ出力部２４は、前記表示端末３の要求に応じて、前記一覧作成部２２によって作成された一覧Ｘのデータを、前記表示端末３へ出力する。
【００２４】
図１では、前記一覧作成部２２、前記計数部２３及び前記データ出力部２４は、前記医療用データが記憶された記憶部２１と同一のサーバに設けられているが、前記一覧作成部２２、前記計数部２３及び前記データ出力部２４は、前記記憶部２１とは異なるサーバに設けられていてもよい。
【００２５】
前記表示端末３は、例えば汎用型のパーソナルコンピュータ（Ｐｅｒｓｏｎａｌ  Ｃｏｍｐｕｔｅｒ）である。また、前記表示端末３は、タブレット（ｔａｂｌｅｔ）型のコンピュータであってもよい。前記表示端末３は、表示部３１、制御部３２、入力部３３、記憶部３４を有している。
【００２６】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。前記表示部３１は、本発明における表示部の実施の形態の一例である。
【００２７】
前記制御部３２は、データ要求部３２１、表示制御部３２２を有している。前記データ要求部３２１は、前記入力部３３における操作者の入力に基づいて、前記サーバ２へ医療用データを要求する信号を出力する。
【００２８】
前記表示制御部３２２は、図２に示すように、前記記憶部２１に記憶された医療用データに基づく同一患者の簡易画像Ｍの一覧Ｘを前記表示部３１の表示画面３１ａに表示させる。前記一覧Ｘのデータは、前記一覧作成部２２によって作成される。図２において前記表示部３１に表示された一覧Ｘは、前記一覧作成部２２によって作成された一覧Ｘのうち、一部である。前記表示制御部３２２は、本発明における表示制御部の実施の形態の一例である。
【００２９】
前記一覧Ｘは、付随情報の表示欄Ｃ１，Ｃ２と簡易画像の表示欄Ｃ３とを含む。これら付随情報の表示欄Ｃ１，Ｃ２及び簡易画像の表示欄Ｃ３は、複数の升目ＣＥで構成されている。前記付随情報の表示欄Ｃ１は、前記一覧Ｘにおいて、行方向（横方向）に並んだ一番上の行を構成する升目ＣＥで構成されている。また、前記付随情報の表示欄Ｃ２は、前記一覧Ｘにおいて、列方向（縦方向）に並んだ一番左の列を構成する升目ＣＥで構成されている。
【００３０】
前記表示制御部３２２は、前記付随情報の表示欄Ｃ１に、同一の属性の付随情報を表示させる。また、前記表示制御部３２２は、前記付随情報の表示欄Ｃ２にも、同一の属性の付随情報を表示させる。そして、前記付随情報の表示欄Ｃ１と前記付随情報の表示欄Ｃ２とでは、異なる属性の付随情報が表示される。図２では、前記付随情報の表示欄Ｃ１に文書種が表示され、前記付随情報の表示欄Ｃ２に日付（年月日）が表示されている。前記付随情報の表示欄Ｃ１に表示される付随情報は、本発明における一の属性の付随情報の実施の形態の一例である。また、前記付随情報の表示欄Ｃ２に表示される付随情報は、本発明における他の属性の付随情報の実施の形態の一例である。
【００３１】
前記付随情報の表示欄Ｃ１，Ｃ２の属性は、操作者が前記入力部３３を用いた入力操作を行なうことにより、変更することができるようになっていてもよい。
【００３２】
また、前記簡易画像の表示欄Ｃ３には、医療用データに基づく簡易画像Ｍが表示される。簡易画像Ｍはサムネイル画像などである。前記簡易画像Ｍのデータは、前記サーバ２の一覧作成部２２によって作成される。前記簡易画像Ｍは、本発明における画像の実施の形態の一例である。
【００３３】
ここで、前記簡易画像Ｍの作成について説明する。前記簡易画像Ｍは、前記一覧作成部２２によって作成される。前記簡易画像の表示欄Ｃ３に表示される簡易画像Ｍが、前記医用画像データに基づく医用画像である場合、一検査において発生する複数枚の医用画像データの中から選ばれた一枚の医用画像データが選ばれる。一検査において発生する複数枚の医用画像データのうち、最初のデータや中間のデータなどが自動的に選ばれてもよい。そして、選ばれた一枚の医用画像データが、一覧Ｘにおいて表示するために適切なサイズ（ｓｉｚｅ）に変換される。このサイズは、一覧性を維持した状態で表示画面３１ａ上に配置できる程度のサイズである（例えば、６４×６４ピクセル（ｐｉｘｅｌ）、９６×９６ピクセルなど）。このようにして変換された医用画像データに基づく簡易画像Ｍが前記簡易画像の表示欄Ｃ３を構成する升目ＣＥに表示される。
【００３４】
また、前記簡易画像Ｍが文書データに基づく画像である場合において、もしも文書データが複数枚の文書のデータであれば、例えば一枚目の文書のデータが選ばれ、この選ばれたデータが、上述と同様に適切なサイズに変換される。そして、変換されたデータに基づく簡易画像Ｍが、前記簡易画像の表示欄Ｃ３に表示される。
【００３５】
また、簡易画像Ｍとして表示される医療用データが数値データである場合、この数値データの内容を示す画像が作成され、この画像が簡易画像Ｍとして表示される。例えば、数値データの内容を示す画像は、数値データの内容を示す文字からなる画像である。一例をあげると、血液検査の数値データについては、「血液検査」の文字からなる画像が、前記簡易画像Ｍとして表示される。
【００３６】
前記簡易画像の表示欄Ｃ３に表示された簡易画像Ｍを、操作者が前記入力部３３を用いてクリックすることにより、前記表示制御部３２２は、拡大された簡易画像Ｍを表示させてもよい。
【００３７】
前記付随情報の表示欄Ｃ１を構成する升目ＣＥには、前記簡易画像の表示欄Ｃ３の縦方向（列方向）における付随情報が表示される。また、前記付随情報の表示欄Ｃ２を構成する升目ＣＥには、前記簡易画像の表示欄Ｃ３の横方向（行方向）における付随情報が表示される。前記簡易画像の表示欄Ｃ３においては、マトリックス（Ｍａｔｒｉｘ）状に簡易画像Ｍが配置されている。前記簡易画像の表示欄Ｃ３において、列方向においては、前記付随情報の表示欄Ｃ１を構成する升目ＣＥに表示された付随情報を有する簡易画像Ｍが配置され、行方向においては、前記付随情報の表示欄Ｃ２を構成する升目ＣＥに表示された付随情報を有する簡易画像Ｍが配置される。前記簡易画像の表示欄Ｃ３においては、前記付随情報の表示欄Ｃ１及び前記付随情報の表示欄Ｃ２の二つの付随情報から特定される位置に前記簡易画像Ｍが配置されている。
【００３８】
具体的に図２においては、各文書種の簡易画像Ｍが列方向に並び、各日付の簡易画像Ｍが行方向に並んだ一覧Ｘが表示されている。一例をあげて説明すると、前記表示制御部３２２は、簡易画像の表示欄Ｃ３において、前記付随情報の表示欄Ｃ１のうち「検体検査」と表示された升目ＣＥの列に、付随情報として検体検査を示す情報を有する医療用データに基づく簡易画像Ｍ（検体検査のスキャン画像を示すサムネイル画像）を表示させる。また、前記表示制御部３２２は、簡易画像の表示欄Ｃ３において、例えば前記付随情報の表示欄Ｃ２のうち「２００５／１０／０７」と表示された升目ＣＥの行に、付随情報として２００５年１０月７日の日付情報を有する医療用データに基づく簡易画像Ｍを表示させる。このように、前記表示制御部３２２は、前記簡易画像Ｍが、行方向に一の属性の付随情報毎に配置されるとともに、列方向に他の属性の付随情報毎に配置された前記一覧Ｘを表示させる。
【００３９】
前記表示制御部３２２は、前記付随情報の表示欄Ｃ１，Ｃ２の属性が変更された場合、それに合わせて前記簡易画像Ｍを再配置する。
【００４０】
前記一覧Ｘのうち前記表示画面３１ａに表示されている部分（一覧Ｘの表示部分）は、操作者が前記入力部３３によってドラッグ（ｄｒａｇ）操作を行なうことにより、縦方向、横方向、斜め方向に移動させることができる。前記表示部３１が、タッチパネル（ｔｏｕｃｈ  ｐａｎｅｌ）式のディスプレイである場合、操作者が指でドラッグ操作又はフリック（ｆｌｉｃｋ）操作を行なうことによって、前記一覧Ｘの表示部分を縦方向、横方向、斜め方向に移動させることができる。前記表示制御部３２２は、前記入力部３３において前記ドラッグ操作やフリック操作などの入力操作が行われると、その入力操作に応じた方向に前記一覧Ｘの表示部分を移動させる。このように、操作者が望む方向に前記一覧Ｘの表示部分を移動させることができるので、操作性が良好である。
【００４１】
また、前記表示制御部３２２は、前記表示部３１に表示された一覧Ｘにインジケータ（ｉｎｄｉｃａｔｏｒ）Ｉｎを表示させる。このインジケータＩｎは、前記一覧作成部２２によって作成された一覧Ｘを構成する簡易画像Ｍのうち、前記表示部３１に表示されていない簡易画像Ｍが存在することを示し、なおかつ前記一覧Ｘの表示部分の下側及び右側の少なくともいずれかにおける前記簡易画像Ｍの存否を示す。前記インジケータＩｎは、前記表示部３１に表示されていない簡易画像Ｍの数を示す数値ｎを含んでいる。詳細は後述する。前記インジケータＩｎは、本発明におけるインジケータの実施の形態の一例である。表示制御部３２２による前記インジケータＩｎの表示制御機能は、本発明における表示制御機能の実施の形態の一例である。
【００４２】
前記入力部３３は、キーボード（ｋｅｙｂｏａｒｄ）やマウス（ｍｏｕｓｅ）などで構成されている。前記入力部３３は、本発明における入力部の実施の形態の一例である。
【００４３】
前記記憶部３４は、例えばＨＤＤ、又はＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの半導体メモリである。
【００４４】
前記部門システム４は、例えばＸ線ＣＴ装置やＭＲＩ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００４５】
次に、本例の画像表示システム１の動作について図３のフローチャートに基づいて説明する。先ず、ステップＳ１では、前記一覧作成部２２が一覧Ｘのデータを作成する。具体的には、先ず操作者が前記表示端末３の入力部３３において、氏名やＩＤなどの患者Ｐの特定情報を入力する。次に、前記データ要求部３２１は、特定情報が入力された前記患者Ｐに関する一覧Ｘのデータを前記サーバ２に対して要求する。この要求には、患者Ｐの特定情報が含まれる。
【００４６】
前記データ要求部３２１から、前記一覧Ｘのデータ要求があると、前記サーバ２の一覧作成部２２は、一覧Ｘのデータを作成する。詳細には、先ず前記一覧作成部２２は、前記データ要求部３２１から入力された患者Ｐの特定情報に基づいて、前記記憶部２１に記憶されている患者Ｐの医療用データを特定する。そして、前記一覧作成部２２は、特定された患者Ｐの医療用データに基づいて、前記患者Ｐについての簡易画像Ｍからなる一覧Ｘのデータを作成する。
【００４７】
次に、ステップＳ２では、前記計数部２３は、前記一覧Ｘの行方向及び列方向において簡易画像Ｍを計数し、前記インジケータＩｎを構成する数値ｎを表示するための数値データを得る。前記計数部２３は、前記升目ＣＥ毎に前記数値データを得る。前記計数部２３は、行方向における前記数値データと、列方向における前記数値データとを、前記各升目ＣＥについて得る。
【００４８】
具体的に説明すると。図４には、前記一覧作成部２２によって作成された一覧Ｘのうち、前記簡易画像の表示欄Ｃ３の升目ＣＥが示されている。ここでは、斜線が付された升目ＣＥ１についての前記数値データを得る例について説明する。
【００４９】
升目ＣＥに示された丸印は、簡易画像Ｍが存在することを示す。前記計数部２３は、前記升目ＣＥ１が属する行において、この升目ＣＥ１よりも右に存在する簡易画像Ｍの数を計数する。図４では、前記升目ＣＥ１よりも右に存在する簡易画像Ｍの数は、「３」である。従って、前記升目ＣＥ１について、行方向における数値データとして「３」が得られる。この行方向における数値データは、前記記憶部２１に記憶される。
【００５０】
また、前記計数部２３は、前記升目ＣＥ１が属する列において、この升目ＣＥ１よりも下に存在する簡易画像Ｍを計数する。図４では、前記升目ＣＥ１よりも下に存在する簡易画像Ｍの数は、「２」である。従って、前記升目ＣＥ１について、列方向における数値データとして「２」が得られる。この列方向における数値データも、前記記憶部２１に記憶される。
【００５１】
前記計数部２３は、全ての升目ＣＥについて上述の計数を行なって、行方向における数値データと列方向における数値データとを得る。そして、それぞれの升目ＣＥについて、行方向における数値データと列方向における数値データとが、前記記憶部２１に記憶される。
【００５２】
前記各升目ＣＥについて記憶される行方向における数値データとは、その升目ＣＥが属する行において、その升目よりも右に簡易画像Ｍがいくつ存在しているかを示す数値のデータである。また、前記各升目ＣＥについて記憶される列方向における数値データとは、その升目ＣＥが属する列において、その升目ＣＥよりも下に簡易画像Ｍがいくつ存在しているかを示す数値のデータである。
【００５３】
次に、ステップＳ３では、前記データ出力部２４は、前記ステップＳ１で作成された前記一覧Ｘのデータ及び前記ステップＳ２で得られた前記数値データを前記表示端末３へ出力する。そして、前記表示制御部３２２が、前記一覧Ｘのデータ及び前記数値データに基づいて、一覧Ｘを前記表示部３１に表示させる。この表示部３１には、前記一覧作成部２２によって作成された一覧Ｘのうち一部が表示されている。前記表示制御部３２２は、前記一覧Ｘにおける簡易画像の表示欄Ｃ３の右端及び下端に、前記インジケータＩｎを表示させる。
【００５４】
前記インジケータＩｎは、前記数値データに基づいて行毎及び列毎に表示される。前記簡易画像の表示欄Ｃ３の右端に表示された前記インジケータＩｎは、その行において表示されている升目ＣＥの右側に、表示されていない簡易画像Ｍが存在することを示す。また、前記簡易画像の表示欄Ｃの下端に表示された前記インジケータＩｎは、その列において表示されている升目ＣＥの下側に、表示されていない簡易画像Ｍが存在することを示す。従って、前記インジケータＩｎが表示されていない行及び列には、表示されている升目ＣＥの右側及び下側に、簡易画像Ｍが存在しない。
【００５５】
前記表示制御部３２２は、前記表示画面３１ａに表示されていない簡易画像Ｍの数を示す数値ｎを、前記インジケータＩｎの一部として表示させる。前記簡易画像の表示欄Ｃ３の右端に表示された前記数値ｎは、その行において表示されている升目ＣＥの右側に、表示されていない簡易画像Ｍがいくつ存在しているかを示している。また、前記簡易画像の表示欄Ｃ３の下端に表示された数値ｎは、その列において表示されている升目ＣＥの下側に、表示されていない簡易画像Ｍがいくつ存在しているかを示している。
【００５６】
操作者は、図５に示すように、前記簡易画像の表示欄Ｃ３にカーソル（ｃｕｒｓｏｒ）ＣＵを置いてドラッグ操作を行なうことにより、前記一覧Ｘの表示部分を移動させることができる。このドラッグ操作により、縦方向、横方向、斜め方向のいずれの方向においても前記一覧Ｘの表示部分を移動させることができる。
【００５７】
前記表示制御部３２２は、前記一覧Ｘの表示部分の移動に伴って、前記表示画面３１ａに表示されていない簡易画像Ｍの数が変わると、前記インジケータＩｎの数値ｎを変える。例えば、図２及び図５に示す状態から、前記一覧Ｘの表示部分が下方向に移動され、前記表示画面３１ａに表示されていない簡易画像Ｍの数が減ると、図６に示すように、前記簡易画像の表示欄Ｃ３の下端に表示された前記数値ｎが小さくなる。操作者は、前記数値ｎにより、前記表示画面３１ａに表示されていない簡易画像Ｍが、下側にあといくつ存在しているかを把握することができる。
【００５８】
前記一覧Ｘの表示部分が下方向にさらに移動され、前記表示画面３１ａに表示されていない簡易画像Ｍが、全ての列において存在しなくなると、前記表示制御部３２２は、図７に示すように、前記簡易画像の表示欄Ｃ３の下端の前記インジケータＩｎを表示しない。このように、インジケータＩｎが表示されなくなることにより、現在表示されている位置よりも下に簡易画像Ｍが存在しておらず、さらに下に一覧Ｘの表示部分を移動させる必要がないことを、操作者が把握することができる。
【００５９】
また、前記表示画面３１ａに表示された一覧Ｘの表示部分が、図８に示す状態から右方向に移動され、前記表示画面３１ａに表示されていない簡易画像Ｍの数が減ると、図９に示すように、前記簡易画像の表示欄Ｃ３の右端に表示された前記数値ｎが小さくなる。操作者は、前記数値ｎにより、前記表示画面３１ａに表示されていない簡易画像Ｍが、右側にあといくつ存在しているかを把握することができる。
【００６０】
前記一覧Ｘの表示部分が右方向にさらに移動され、前記表示画面３１ａに表示されていない簡易画像Ｍが、全ての行において存在しなくなると、前記表示制御部３２２は、図１０に示すように、前記簡易画像の表示欄Ｃ３の右端の前記インジケータＩｎを表示しない。このように、インジケータＩｎが表示されなくなることにより、現在表示されている位置よりも右に簡易画像Ｍが存在しておらず、さらに右に一覧Ｘの表示部分を移動させる必要がないことを、操作者が把握することができる。
【００６１】
前記インジケータＩｎを構成する前記数値ｎの表示手法について説明する。前記表示制御部３２２は、前記一覧Ｘにおいて、前記表示画面３１ａに全領域が表示されている升目のうち、最も右の列及び最も下の行の升目について記憶されている数値データの数値を、前記数値ｎとして表示する。ただし、前記表示制御部３２２は、前記数値データの数値が零である場合、前記インジケータＩｎを表示させない。
【００６２】
具体的に図１１に基づいて説明する。図１１には、一覧Ｘのうち簡易画像の表示欄Ｃ３が表示されている。ただし、簡略化されて升目ＣＥのみが示されている。図１１において、符号Ｓが付され、ドット（ｄｏｔ）で示された部分は、前記表示画面３１ａに表示されている表示領域（一覧Ｘの表示部分）である。また、丸印は、簡易画像Ｍが存在することを示す。ただし、前記表示領域Ｓ内の升目ＣＥにおいて、簡易画像Ｍが存在していても、丸印は図示省略している。
【００６３】
図１１において、前記表示領域Ｓに含まれる升目ＣＥであって、全ての領域が前記表示領域Ｓに含まれる升目ＣＥのうち、最も右の列の升目ＣＥｒ及び最も下の行の升目ＣＥｂに示された数字は、各升目ＣＥについて記憶された行方向又は列方向における数値データを示している。前記升目ＣＥｒについては、行方向における数値データとして、上から順に「１」「２」「１」「３」の数値データが記憶されている。また、前記升目ＣＥｂについては、列方向における数値データとして、左から順に「１」「０」「１」「１」「２」「３」の数値データが記憶されている。
【００６４】
前記表示制御部３２２は、前記升目ＣＥｒについて記憶された数値データに基づいて、前記簡易画像の表示欄Ｃ３の右端に数値ｎを表示させる。具体的には、前記簡易画像の表示欄Ｃ３の右端には、特に図示しないが、前記数値ｎとして、上から順に「１」「２」「１」「３」が表示される。また、前記表示制御部３２２は、前記升目ＣＥｂについて記憶された数値データに基づいて、前記簡易画像の表示欄Ｃ３の下端に数値ｎを表示させる。すなわち、前記簡易画像の表示欄Ｃ３の下端には、特に図示しないが、前記数値ｎとして、「１」「１」「１」「２」「３」が表示される。ただし、数値データの数値が「０」である列（一番左から二列目）については、前記インジケータＩｎは表示されない。
【００６５】
なお、図１１に示された数字の位置は、前記表示画面３１ａに表示される前記数値ｎの位置とは異なっている。
【００６６】
前記表示領域Ｓが図１１の位置から下に移動して、図１２に示す位置まで移動した場合について説明する。図１２の二点鎖線で囲まれた領域Ｓ′は、図１１に示されている表示領域である。
【００６７】
図１２における表示領域Ｓの下端は、図１１では最も下であった行の一つ下の行を構成する升目の下端に達している。前記表示領域Ｓの下端がこの位置に達すると、新たに前記表示領域Ｓにおいて最も下の行になった升目ＣＥｂに記憶された数値データに基づく数値ｎ（「１」「１」「２」「２」）が、前記簡易画像の表示欄Ｃ３の下端に表示される。ただし、数値データの数値が新たに「０」になった升目ＣＥｂの列（一番左から四列目）においては、前記インジケータＩｎの表示が消える。
【００６８】
また、前記表示領域Ｓの下端が図１２の位置に達すると、前記表示領域Ｓにおいて最も右の列であって、新たに最も下の行になった升目ＣＥｒｂについて記憶された行方向における数値データに基づいて、数値ｎ（「１」）を含むインジケータＩｎが、前記簡易画像の表示欄Ｃ３の右端に新たに表示される。
【００６９】
一方、前記表示領域Ｓが下に移動することにより、升目ＣＥの全領域が表示されなくなった行（図１２では、一番上の行）については、前記表示制御部３２２は、前記インジケータＩｎを表示させない。
【００７０】
次に、前記表示領域Ｓが図１１の位置から右に移動して、図１３に示す位置まで移動した場合について説明する。図１３の二点鎖線で囲まれた符号Ｓ′で示される領域は、図１１に示されている表示領域である。
【００７１】
図１３における表示領域Ｓの右端は、図１１では最も右であった列の一つ右の列を構成する升目の右端に達している。前記表示領域Ｓの右端がこの位置に達すると、新たに前記表示領域Ｓにおいて最も右の列になった升目ＣＥｒに記憶された数値データに基づく数値ｎ（「１」「１」「２」）が、前記簡易画像の表示欄Ｃ３の右端に表示される。ただし、数値データの数値が新たに「０」になった升目ＣＥｒの行（一番上から三行目）においては、前記インジケータＩｎの表示が消える。
【００７２】
また、前記表示領域Ｓの右端が図１３の位置に達すると、前記表示領域Ｓにおいて最も下の行であって、新たに最も右の列になった升目ＣＥｒｂについて記憶された列方向における数値データに基づいて、数値ｎ（「１」）を含むインジケータＩｎが、前記簡易画像の表示欄Ｃ３の下端に新たに表示される。
【００７３】
一方、前記表示領域Ｓが右に移動することにより、升目ＣＥの全領域が表示されなくなった列（図１３では、一番左の列）については、前記表示制御部３２２は、前記インジケータＩｎを表示させない。
【００７４】
以上説明したステップＳ１〜Ｓ３の処理により、一覧Ｘが表示される。この一覧Ｘにおいて、付随情報の表示欄Ｃ１，Ｃ２の属性が変更された場合、再度前記ステップＳ１〜Ｓ３の処理が行われる。すなわち、変更された属性に従って、前記ステップＳ１において一覧Ｘのデータが再作成され、前記ステップＳ２において前記計数部２３による計数が再度行われ、数値データが得られる。そして、再度得られた一覧Ｘのデータ及び数値データに基づいて、前記一覧Ｘが表示される。
【００７５】
次に、変形例について説明する。先ず、第一変形例について説明する。この第一変形例では、前記表示画面３１ａにおいて、左右方向又は上下方向における二分の一以上が表示されている升目ＣＥのうち、最も右の列及び最も下の行の升目ＣＥについて記憶されている数値データの数値を、前記数値ｎとして表示する。これにより、前記一覧Ｘの表示部分が移動した時の、前記数値ｎが変わるタイミングが、上記実施形態とは異なる。
【００７６】
具体的に、先ず図１４に基づいて説明する。図１４は、表示領域Ｓが図１１の位置から下に移動した状態を示す。前記表示領域Ｓの下端は、升目ＣＥｂの上下方向における二分の一の位置にあるものとする。本例では、この升目ＣＥｂは、前記表示画面３１ａにおいて、上下方向における二分の一以上が表示されている升目のうち、最も下の行の升目である。前記升目ＣＥｂに示されている数字「１」「０」「１」「０」「２」「２」は、前記升目ＣＥｂについて記憶された列方向における数値データの数値である。
【００７７】
図１４において、数字「１」「２」「１」「３」「１」が示されている列の升目ＣＥｒは、前記表示画面３１ａにおいて、左右方向における二分の一以上が表示されている升目のうち、最も右の列の升目である。前記数字「１」「２」「１」「３」「１」は、前記升目ＣＥｒについて記憶された行方向における数値データの数値である。
【００７８】
前記表示領域Ｓの下端が図１４の位置に達すると、前記表示制御部３２２は、図１４に示す前記升目ＣＥｂについて記憶された列方向における数値データに基づく数値ｎ（「１」「１」「２」「２」）を、前記簡易画像の表示欄Ｃ３の下端に表示させる。また、数値データの数値が新たに「０」になった升目ＣＥｂの列（一番左から四列目）においては、前記インジケータＩｎの表示が消える。
【００７９】
また、上述のように前記表示領域Ｓの下端が図１４の位置に達すると、前記表示領域Ｓにおいて最も右の列であって、新たに最も下の行になった升目ＣＥｒｂについて記憶された行方向における数値データに基づいて、数値ｎ（「１」）を含むインジケータＩｎが、前記簡易画像の表示欄Ｃ３の右端に新たに表示される。
【００８０】
次に、図１５に基づいて、前記一覧Ｘの表示領域が右に移動した場合について説明する。図１５は、表示領域Ｓが図１１の位置から右に移動した状態を示す。前記表示領域Ｓの右端は、升目ＣＥｒの左右方向における二分の一の位置にあるものとする。本例では、この升目ＣＥｒは、前記表示画面３１ａにおいて、左右方向における二分の一以上が表示されている升目のうち、最も右の列の升目である。前記升目ＣＥｒに示されている数字「０」「０」「０」「１」は、前記升目ＣＥｒについて記憶された行方向における数値データの数値である。
【００８１】
図１５において、数字「０」「１」「１」「２」「３」「１」「１」が示されている行の升目ＣＥｂは、前記表示画面３１ａにおいて、上下方向における二分の一以上が表示されている升目のうち、最も下の行の升目である。前記数字「０」「１」「１」「２」「３」「１」「１」は、前記升目ＣＥｒについて記憶された列方向における数値データの値である。
【００８２】
前記表示領域Ｓの右端が図１５の位置に達すると、前記表示制御部３２２は、図１５に示す前記升目ＣＥｒについて記憶された行方向における数値データに基づく数値ｎ（「１」）を、前記簡易画像の表示欄Ｃ３の右端に表示させる。また、数値データの数値が新たに「０」になった升目ＣＥｒの行においては、前記インジケータＩｎの表示が消える。
【００８３】
また、上述のように前記表示領域Ｓの右端が図１５の位置に達すると、前記表示領域Ｓにおいて最も下の行であって、新たに最も右の列になった升目ＣＥｒｂについて記憶された列方向における数値データに基づいて、数値ｎ（「１」）を含むインジケータＩｎが、前記簡易画像の表示欄Ｃ３の下端に新たに表示される。
【００８４】
次に、第二変形例について説明する。図１６に示すように、操作者が前記入力部３３を用いて、カーソルＣＵによって前記インジケータＩｎをクリックすると、前記表示画面３１ａに表示されていない簡易画像Ｍが表示されるように、一覧Ｘの表示部分が移動する。前記簡易画像の表示欄Ｃ３の下端に表示されたインジケータＩｎがクリックされると、前記表示制御部３２２は、前記一覧Ｘの表示部分を下に移動させる。一方、前記簡易画像の表示欄Ｃ３の右端に表示されたインジケータＩｎがクリックされると、前記表示制御部３２２は、前記一覧Ｘの表示部分を右に移動させる。
【００８５】
本例における一覧Ｘの表示部分の移動について、図１７〜図１９に基づいてより詳細に説明する。図１７〜図１９には、図１６とは異なる一覧が示されている。ここでは、前記簡易画像の表示欄Ｃ３の下端に表示されたインジケータＩｎがクリックされた場合を例にして説明する。図１７〜図１９に示された数字は、升目ＣＥについて記憶された列方向における数値データの数値を示している。
【００８６】
前記表示制御部３２２は、クリックされたインジケータＩｎの列において、現在表示されている数値ｎよりも、前記数値データの数値が小さくなる升目ＣＥの簡易画像Ｍが表示されるように、前記一覧Ｘの表示部分を移動させる。例えば、升目ＣＥ−Ａの列のインジケータＩｎがクリックされると、図１８に示すように、前記升目ＣＥ−Ａについて記憶された数値データの数値「２」よりも小さい「１」の数値データが記憶された升目ＣＥ−ａが、表示領域Ｓにおいて最も下の行の升目になるように、前記表示制御部３２２は、前記表示領域Ｓを移動させる（二点鎖線で囲まれた符号Ｓ′で示される領域は、移動前の表示領域である）。
【００８７】
また、例えば図１７の状態において、升目ＣＥ−ＢのインジケータＩｎがクリックされると、図１９に示すように、前記升目ＣＥ−Ｂについて記憶された数値データの数値「１」よりも小さい「０」の数値データが記憶された升目ＣＥ−ｂが、表示領域Ｓにおいて最も下の行の升目になるように、前記表示制御部３２２は、前記表示領域Ｓを移動させる。
【００８８】
次に、第三変形例について説明する。図２０に示すように、前記インジケータＩｎは、前記簡易画像の表示欄Ｃ３の右端及び下端のみではなく、左端及び上端に表示されてもよい。本例では、前記インジケータＩｎは、前記一覧Ｘの表示部分の下側及び右側のみならず、上側及び左側における簡易画像Ｍの存否及びその数を示す。
【００８９】
前記簡易画像の表示欄Ｃ３の左端に表示される数値ｎは、前記各升目ＣＥについて記憶されている行方向における数値データ（前記簡易画像の表示欄Ｃ３の左端に数値ｎを表示するための数値データ）に基づいて表示される。また、前記簡易画像の表示欄Ｃ３の下端に表示される数値ｎは、前記各升目ＣＥについて記憶されている列方向における数値データ（前記簡易画像の表示欄Ｃ３の下端に数値ｎを表示するための数値データ）に基づいて表示される。
【００９０】
先ず、前記簡易画像の表示欄Ｃ３の下端における前記数値ｎの表示手法について、図２１及び図２２に基づいて説明する。ここでは、図２１及び図２２において、数字が示された一列（升目ＣＥ１〜ＣＥ７）に着目して説明する。図２１及び図２２に示された数字は、升目ＣＥについて記憶された列方向における数値データの数値を示す。この数値データの数値が、前記簡易画像の表示欄Ｃ３の下端の数値ｎとして表示される。
【００９１】
前記計数部２３は、前記簡易画像の表示欄Ｃ３において最も上の行の升目ＣＥの数値から、表示領域Ｓにおいて最も上の行の升目ＣＥの一つ上の升目の数値を減算し、前記簡易画像の表示欄Ｃ３の上端に表示される数値ｎの数値データを得る。具体的には、表示領域Ｓの位置が、図２１に示された位置である場合、前記表示領域Ｓにおいて最も上の行の升目は升目ＣＥ３であり、その一つ上の升目は升目ＣＥ２である。従って、前記計数部２３は、前記簡易画像の表示欄Ｃ３において最も上の行の升目ＣＥ１の数値「４」から、前記升目ＣＥ２の数値「３」を引き算する。これにより、前記簡易画像の表示欄Ｃ３の上端に表示される数値ｎの数値データとして数値「１」のデータが得られる。従って、前記表示制御部３２２は、前記升目ＣＥ１〜ＣＥ７の列において、前記簡易画像の表示欄Ｃ３の上端に、前記数値ｎとして「１」を表示させる。
【００９２】
また、表示領域Ｓの位置が、図２２に示された位置である場合、前記表示領域Ｓにおいて最も上の行の升目は升目ＣＥ４であり、その一つ上の升目は升目ＣＥ３である。従って、前記計数部２３は、前記簡易画像の表示欄Ｃにおいて最も上の行の升目ＣＥ１の数値「４」から、前記升目ＣＥ３の数値「２」を引き算する。これにより、前記簡易画像の表示欄Ｃ３の上端に表示される数値ｎの数値データとして数値「２」のデータが得られる。従って、前記表示制御部３２２は、前記升目ＣＥ１〜ＣＥ７の列において、前記簡易画像の表示欄Ｃ３の上端に、前記数値ｎとして「２」を表示させる。
【００９３】
次に、前記簡易画像の表示欄Ｃ３の左端における前記数値ｎの表示手法について、図２３に基づいて説明する。ここでは、図２３において、数字が示された一行（升目ＣＥ１１〜ＣＥ１９）に着目して説明する。図２３に示された数字は、升目ＣＥについて記憶された行方向における数値データの数値を示す。この数値データの数値が、前記簡易画像の表示欄Ｃ３の左端の数値ｎとして表示される。
【００９４】
前記計数部２３は、前記簡易画像Ｍの表示欄Ｃにおいて最も左の列の升目ＣＥの数値から、表示領域Ｓにおいて最も左の列の升目ＣＥの一つ左の升目の数値を減算し、前記簡易画像の表示欄Ｃの左端に表示される数値ｎの数値データを得る。図２３では、前記表示領域Ｓにおいて最も左の列の升目は升目ＣＥ１３であり、その一つ左の升目は升目ＣＥ１２である。従って、前記計数部２３は、前記簡易画像の表示欄Ｃ３において最も左の列の升目ＣＥ１１の数値「５」から、前記升目ＣＥ１２の数値「４」を引き算する。これにより、前記簡易画像の表示欄Ｃの左端に表示される数値ｎの数値データとして数値「１」のデータが得られる。従って、前記表示制御部３２２は、前記升目ＣＥ１１〜ＣＥ１９の行において、前記簡易画像の表示欄Ｃの左端に、前記数値ｎとして「１」を表示させる。
【００９５】
なお、前記数値ｎの表示手法は上述した手法に限られるものではない。例えば、各升目ＣＥについて、前記簡易画像の表示欄Ｃ３の左端及び上端に数値ｎを表示するための数値データが記憶されていてもよい。すなわち、前記簡易画像の表示欄Ｃ３の左端に数値ｎを表示するために、ある升目ＣＥが属する行において、その升目ＣＥよりも左に簡易画像Ｍがいくつ存在しているかを示す数値のデータが、各升目ＣＥについて記憶されていてもよい。また、簡易画像の表示欄Ｃ３の上端に数値ｎを表示するために、ある升目ＣＥが属する列において、その升目ＣＥよりも上に簡易画像Ｍがいくつ存在しているかを示す数値のデータが、各升目ＣＥについて記憶されていてもよい。
【００９６】
次に、第四実施形態について、図２４に基づいて説明する。図２４に示すように、前記インジケータＩｎは、前記数値ｎを含んでいなくてもよい。
【００９７】
以上、本発明を前記実施形態によって説明したが、本発明はその主旨を変更しない範囲で種々変更実施可能なことはもちろんである。例えば、図２５に示すように、前記インジケータＩｎとともに、前記表示画面３１ａに表示されていない簡易画像が存在しないことを示すインジケータＩｎ′が表示されてもよい。また、特に図示しないが、前記インジケータＩｎは表示されず、前記インジケータＩｎ′のみが表示されてもよい。
【００９８】
また、前記サーバ２の前記一覧作成部２２が前記インジケータＩｎの数値ｎを変えたり、非表示にしたりしてもよい。
【００９９】
また、前記サーバ２の前記一覧作成部２２及び前記計数部２３の代わりに、図２６に示すように、前記表示端末３の制御部３２が一覧作成部３２３及び計数部３２４を有していてもよい。
【符号の説明】
【０１００】
１  画像表示システム
２  サーバ
３  表示端末（表示装置）
２１  記憶部
２３，３２４  計数部
３１  表示部
３３  入力部
３２２  表示制御部
Ｘ  一覧
Ｍ  簡易画像
【図１】
2014137603.tif 000003
【図２】
2014137603.tif 000004
【図３】
2014137603.tif 000005
【図４】
2014137603.tif 000006
【図５】
2014137603.tif 000007
【図６】
2014137603.tif 000008
【図７】
2014137603.tif 000009
【図８】
2014137603.tif 000010
【図９】
2014137603.tif 000011
【図１０】
2014137603.tif 000012
【図１１】
2014137603.tif 000013
【図１２】
2014137603.tif 000014
【図１３】
2014137603.tif 000015
【図１４】
2014137603.tif 000016
【図１５】
2014137603.tif 000017
【図１６】
2014137603.tif 000018
【図１７】
2014137603.tif 000019
【図１８】
2014137603.tif 000020
【図１９】
2014137603.tif 000021
【図２０】
2014137603.tif 000022
【図２１】
2014137603.tif 000023
【図２２】
2014137603.tif 000024
【図２３】
2014137603.tif 000025
【図２４】
2014137603.tif 000026
【図２５】
2014137603.tif 000027
【図２６】
2014137603.tif 000028